(57)【要約】【課題】ネットワークが切断された場合でも動画情報に対するインデキシング作業を効率的に行うこと。【解決手段】ＤＶカメラ４の操作により発生したイベントと、ネットワークに接続されたＰＣ２から送信されるイベントおよび該イベントに対応づけられた画面画像の情報を受信するイベント受信部３６と、ＰＣ２とのネットワークの接続状態を検知するネットワーク制御部５１と、受信したＤＶカメラ４の操作により発生したイベントと、ＰＣ２から送信される画面画像の操作に関するイベントおよび該イベントに対応づけられた画面画像の情報を第１のイベントファイル５０としてＨＤＤ４９に記録し、ネットワークが切断されていると検知された場合、ＤＶカメラ４の操作により発生したイベントのみを前記イベント情報として記録するイベント記録部３８を備えた。【選択図】        図３
2005094267.tif 000002
【特許請求の範囲】
【請求項１】
複数の画面画像を使用して前記画面画像に対する説明内容を撮像した動画情報と該動画情報に対応する画面画像を対応づける情報編集装置であって、
撮像手段の操作により発生したイベントと、ネットワークに接続されたイベント送信装置から送信されるイベントおよび該イベントに対応づけられた画面画像の情報を受信する受信手段と、
前記イベント送信装置とのネットワークの接続状態を検知するネットワーク制御手段と、
前記受信手段によって受信した前記撮像手段の操作により発生したイベントと、前記イベント送信装置から送信される画面画像の操作に関するイベントおよび該イベントに対応づけられた画面画像の情報を第１のイベント情報として記憶手段に記録し、前記ネットワーク制御手段によって前記イベント送信装置とのネットワークが切断されていると検知された場合、前記撮像手段の操作により発生したイベントのみを前記イベント情報として記録する記録手段と、
を備えたことを特徴とする情報編集装置。
【請求項２】
前記ネットワーク制御手段は、さらに前記イベント送信装置とのネットワークが切断されていると検知された場合、前記イベント送信装置との再接続を行うことを特徴とする請求項１に記載の情報編集装置。
【請求項３】
前記受信手段は、前記イベント送信装置とのネットワークが再接続された場合、ネットワークの切断中に前記イベント送信装置で記録された画面画像の操作に関するイベントおよび該イベントに対応づけられた画面画像の情報を第２のイベント情報を受信するものであり、
前記第１のイベント情報と前記第２のイベント情報とを併合する併合手段をさらに備えたことを特徴とする請求項２に記載の情報編集装置。
【請求項４】
複数の画面画像に対する経時的な操作に関連して発生するイベントと、該イベントに対応づけられた前記画面画像の情報とを取得して、取得したイベントと前記画面画像の情報をネットワークに接続された情報編集装置に送信する送信手段と、
前記イベント情報と前記画面画像の情報をイベント情報として記憶する記憶手段と、
ネットワークが切断されている場合に、前記イベント情報と前記画面画像の情報をイベント情報として前記記憶手段に記録する記録手段と、
を備えたことを特徴とするイベント送信装置。
【請求項５】
複数の画面画像を使用して前記画面画像に対する説明内容を撮像した動画情報と該動画情報に対応する画面画像を対応づける情報編集装置と該情報編集装置にネットワークで接続され画面画像に対する操作により発生したイベントを前記情報編集装置に送信するイベント送信装置とを有する情報編集システムであって、
前記イベント送信装置は、
複数の画面画像に対する経時的な操作に関連して発生するイベントと、該イベントに対応づけられた前記画面画像の情報とを取得して、取得したイベントと前記画面画像の情報をネットワークに接続された情報編集装置に送信する送信手段と、
ネットワークが切断されている場合に、前記イベント情報と前記画面画像の情報をイベント情報として記録する第１の記録手段と、を備え、
前記情報編集装置は、
撮像手段の操作により発生したイベントと、ネットワークに接続されたイベント送信装置から送信されるイベントおよび該イベントに対応づけられた画面画像の情報を受信する受信手段と、
前記イベント送信装置とのネットワークの接続状態を検知するネットワーク制御手段と、
前記受信手段によって受信した前記撮像手段の操作により発生したイベントと、前記イベント送信装置から送信される画面画像の操作に関するイベントおよび該イベントに対応づけられた画面画像の情報を第１のイベント情報として記憶手段に記録し、前記ネットワーク制御手段によって前記イベント送信装置とのネットワークが切断されていると検知された場合、前記撮像手段の操作により発生したイベントのみを前記イベント情報として記録する第２の記録手段と、
を備えたことを特徴とする情報編集システム。
【請求項６】
複数の画面画像を使用して前記画面画像に対する説明内容を撮像した動画情報と該動画情報に対応する画面画像を対応づける情報編集方法であって、
撮像手段の操作により発生したイベントと、ネットワークに接続されたイベント送信装置から送信されるイベントおよび該イベントに対応づけられた画面画像の情報を受信する受信ステップと、
前記イベント送信装置とのネットワークの接続状態を検知するネットワーク制御ステップと、
前記受信ステップによって受信した前記撮像手段の操作により発生したイベントと、前記イベント送信装置から送信される画面画像の操作に関するイベントおよび該イベントに対応づけられた画面画像の情報を第１のイベント情報として記憶手段に記録し、前記ネットワーク制御手段によって前記イベント送信装置とのネットワークが切断されていると検知された場合、前記撮像手段の操作により発生したイベントのみを前記イベント情報として記録する記録ステップと、
を含むことを特徴とする情報編集方法。
【請求項７】
前記ネットワーク制御ステップは、さらに前記イベント送信装置とのネットワークが切断されていると検知された場合、前記イベント送信装置との再接続を行うことを特徴とする請求項６に記載の情報編集方法。
【請求項８】
前記受信ステップは、前記イベント送信装置とのネットワークが再接続された場合、ネットワークの切断中に前記イベント送信装置で記録された画面画像の操作に関するイベントおよび該イベントに対応づけられた画面画像の情報を第２のイベント情報を受信するものであり、
前記第１のイベント情報と前記第２のイベント情報とを併合する併合ステップをさらに含むことを特徴とする請求項７に記載の情報編集方法。
【請求項９】
複数の画面画像に対する経時的な操作に関連して発生するイベントと、該イベントに対応づけられた前記画面画像の情報とを取得して、取得したイベントと前記画面画像の情報をネットワークに接続された情報編集装置に送信する送信ステップと、
ネットワークが切断されている場合に、前記イベント情報と前記画面画像の情報をイベント情報として記憶手段に記録する記録ステップと、
を含むことを特徴とするイベント送信方法。
【請求項１０】
請求項６〜９のいずれか一つに記載の方法をコンピュータに実行させるプログラム。
【発明の詳細な説明】
【技術分野】
【０００１】
本発明は、経時的に進行する場面単位の複数の画面画像と、前記画面画像に対応した場面で撮像された動画情報とを対応付けて記録された情報編集装置、イベント送信装置、情報編集システム、情報編集方法、イベント送信方法およびこれらの方法をコンピュータに実行させるプログラムに関するものであり、特にネットワーク切断時においても画面画像に対する操作に関するイベントと動画情報に関するイベントの取得を可能とした情報編集装置、イベント送信装置、情報編集システム、情報編集方法、イベント送信方法およびこれらの方法をコンピュータに実行させるプログラムに関する。
【背景技術】
【０００２】
例えばプレゼンテーションなど経時的に進行する場面単位のスライドなどの複数の画面画像と、この画面画像に対応した場面で撮像された映像の動画情報とを対応付けて記録された画像情報を編集する情報編集装置において、編集の際に、長時間の映像のうちから所望の一部のみを見たいという要望がある。この要望に応えるべく、近年では、所望の部分を容易に検索または頭出しする方法として、インデキシング技術が開発されている。インデキシング技術とは、映像全体を時間軸に沿って複数の部分に分割し、それぞれの部分に対して、検索可能とすべく記述情報を対応付ける技術である。
【０００３】
映像等の動画情報に対しインデキシングを行なう場合、映像内容に関してどのようなイベントが発生したのか、映像内容に対してイベントに関する情報を付加する必要がある。この作業は、作業者が実際に撮影した映像をすべて見て映像の内容を把握し、場面の切り替わり、話題の切り替わりを判断し、付加すべきイベントに関する情報を決めていくことにより行われている。このようなインデキシングを施された映像情報は、場面単位での閲覧や、映像内容に付加した情報による検索を行なうことが可能となる。
【０００４】
このようなインデキシング技術としては、スライド等のドキュメントが表示されたタイミングに基づいて、当該ドキュメントに関連する映像を同期させるドキュメント処理方法が知られている（例えば、特許文献１）。
【０００５】
このようなインデキシングの従来技術では、通常、説明のための画面画像を切替え操作するプレゼンテーション用ＰＣ（Ｐｅｒｓｏｎａｌ  Ｃｏｍｐｕｔｅｒ）と。その映像をキャプチャするキャプチャ用ＰＣとをネットワークで接続して使用している。そして、プレゼンテーション用ＰＣでは、プレゼンテーションの進行によって画面画像（スライド）の切り替えなどに伴う操作により発生するイベントを取得して、キャプチャ用ＰＣに送信する。
【０００６】
キャプチャ用ＰＣでは、ＤＶカメラなどの撮像手段の操作により発生するイベントを取得し、プレゼンテーション用ＰＣから受信したイベントとともに記録している。
【０００７】
【特許文献１】特開２００２−２３２８５８号公報（第５−９頁）
【発明の開示】
【発明が解決しようとする課題】
【０００８】
しかしながら、プレゼンテーション用ＰＣとキャプチャ用ＰＣとのネットワークがなんらかの原因で切断された場合に、イベントに対する処理が中段されてしまう場合があり、これでは動画情報に対するインデキシング作業が困難になるという問題がある。
【０００９】
本発明は、上記に鑑みてなされたものであって、ネットワークが切断された場合でも動画情報に対するインデキシング作業を効率的に行うことができる情報編集装置、イベント送信装置、情報編集システム、情報編集方法、イベント送信方法およびこれらの方法をコンピュータに実行させるプログラムを提供することを目的とする。
【課題を解決するための手段】
【００１０】
上述した課題を解決し、目的を達成するために、請求項１にかかる発明は、複数の画面画像を使用して前記画面画像に対する説明内容を撮像した動画情報と該動画情報に対応する画面画像を対応づける情報編集装置であって、撮像手段の操作により発生したイベントと、ネットワークに接続されたイベント送信装置から送信されるイベントおよび該イベントに対応づけられた画面画像の情報を受信する受信手段と、前記イベント送信装置とのネットワークの接続状態を検知するネットワーク制御手段と、前記受信手段によって受信した前記撮像手段の操作により発生したイベントと、前記イベント送信装置から送信される画面画像の操作に関するイベントおよび該イベントに対応づけられた画面画像の情報を第１のイベント情報として記憶手段に記録し、前記ネットワーク制御手段によって前記イベント送信装置とのネットワークが切断されていると検知された場合、前記撮像手段の操作により発生したイベントのみを前記イベント情報として記録する記録手段と、を備えたことを特徴とする。
【００１１】
この請求項１にかかる発明によれば、撮像手段の操作により発生したイベントと、ネットワークに接続されたイベント送信装置から送信されるイベントおよび該イベントに対応づけられた画面画像の情報を受信し、イベント送信装置とのネットワークの接続状態を検知し、受信した前記撮像手段の操作により発生したイベントと、前記イベント送信装置から送信される画面画像の操作に関するイベントおよび該イベントに対応づけられた画面画像の情報を第１のイベント情報として記憶手段に記録し、イベント送信装置とのネットワークが切断されていると検知された場合、前記撮像手段の操作により発生したイベントのみを前記イベント情報として記録することで、情報編集装置は、ネットワークが接続されている場合も、ネットワークが切断されている場合も、撮像手段のイベントを取得することができ、動画情報に対するインデキシング作業を効率的に行うことができる。
【００１２】
また、請求項２にかかる発明は、請求項１に記載の情報編集装置において前記ネットワーク制御手段は、さらに前記イベント送信装置とのネットワークが切断されていると検知された場合、前記イベント送信装置との再接続を行うことを特徴とする。
【００１３】
この請求項２にかかる発明によれば、イベント送信装置とのネットワークが切断されていると検知された場合、イベント送信装置との再接続を行うことで、ネットワーク再接続によってイベント送信装置からのイベント取得を自動的に行うことができ、動画情報に対するインデキシング作業を効率的に行うことができる。
【００１４】
また、請求項３にかかる発明は、請求項２に記載の情報編集装置において、前記受信手段は、前記イベント送信装置とのネットワークが再接続された場合、ネットワークの切断中に前記イベント送信装置で記録された画面画像の操作に関するイベントおよび該イベントに対応づけられた画面画像の情報を第２のイベント情報を受信するものであり、前記第１のイベント情報と前記第２のイベント情報とを併合する併合手段をさらに備えたことを特徴とする。
【００１５】
この請求項３にかかる発明によれば、イベント送信装置とのネットワークが再接続された場合、ネットワークの切断中に前記イベント送信装置で記録された画面画像の操作に関するイベントおよび該イベントに対応づけられた画面画像の情報を第２のイベント情報を受信し、第１のイベント情報と前記第２のイベント情報とを併合することで、ネットワークが切断された場合でも、完全なイベント情報を自動的に生成することができ、動画情報に対するインデキシング作業を効率的に行うことができる。
【００１６】
また、請求項４にかかる発明は、複数の画面画像に対する経時的な操作に関連して発生するイベントと、該イベントに対応づけられた前記画面画像の情報とを取得して、取得したイベントと前記画面画像の情報をネットワークに接続された情報編集装置に送信する送信手段と、前記イベント情報と前記画面画像の情報をイベント情報として記憶する記憶手段と、ネットワークが切断されている場合に、前記イベント情報と前記画面画像の情報をイベント情報として前記記憶手段に記録する記録手段と、を備えたことを特徴とするイベント送信装置にかかるものである。
【００１７】
この請求項４にかかる発明によれば、複数の画面画像に対する経時的な操作に関連して発生するイベントと、該イベントに対応づけられた前記画面画像の情報とを取得して、取得したイベントと前記画面画像の情報をネットワークに接続された情報編集装置に送信し、ネットワークが切断されている場合に、イベント情報と前記画面画像の情報をイベント情報として前記記憶手段に記録することで、ネットワークが切断された場合でも、イベント情報を記録することができ、動画情報に対するインデキシング作業を効率的に行うことができる。
【００１８】
また、請求項５にかかる発明は、複数の画面画像を使用して前記画面画像に対する説明内容を撮像した動画情報と該動画情報に対応する画面画像を対応づける情報編集装置と該情報編集装置にネットワークで接続され画面画像に対する操作により発生したイベントを前記情報編集装置に送信するイベント送信装置とを有する情報編集システムであって、前記イベント送信装置は、複数の画面画像に対する経時的な操作に関連して発生するイベントと、該イベントに対応づけられた前記画面画像の情報とを取得して、取得したイベントと前記画面画像の情報をネットワークに接続された情報編集装置に送信する送信手段と、ネットワークが切断されている場合に、前記イベント情報と前記画面画像の情報をイベント情報として記録する第１の記録手段と、を備え、前記情報編集装置は、撮像手段の操作により発生したイベントと、ネットワークに接続されたイベント送信装置から送信されるイベントおよび該イベントに対応づけられた画面画像の情報を受信する受信手段と、前記イベント送信装置とのネットワークの接続状態を検知するネットワーク制御手段と、前記受信手段によって受信した前記撮像手段の操作により発生したイベントと、前記イベント送信装置から送信される画面画像の操作に関するイベントおよび該イベントに対応づけられた画面画像の情報を第１のイベント情報として記憶手段に記録し、前記ネットワーク制御手段によって前記イベント送信装置とのネットワークが切断されていると検知された場合、前記撮像手段の操作により発生したイベントのみを前記イベント情報として記録する第２の記録手段と、を備えたことを特徴とする。
【００１９】
この請求項５にかかる発明によれば、イベント送信装置によって、複数の画面画像に対する経時的な操作に関連して発生するイベントと、該イベントに対応づけられた前記画面画像の情報とを取得して、取得したイベントと前記画面画像の情報をネットワークに接続された情報編集装置に送信し、ネットワークが切断されている場合に、イベント情報と画面画像の情報をイベント情報として記録し、情報編集装置によって、撮像手段の操作により発生したイベントと、ネットワークに接続されたイベント送信装置から送信されるイベントおよび該イベントに対応づけられた画面画像の情報を受信し、イベント送信装置とのネットワークの接続状態を検知し、受信した撮像手段の操作により発生したイベントと、イベント送信装置から送信される画面画像の操作に関するイベントおよび該イベントに対応づけられた画面画像の情報を第１のイベント情報として記録し、イベント送信装置とのネットワークが切断されていると検知された場合、撮像手段の操作により発生したイベントのみを前記イベント情報として記録することで、情報編集装置は、ネットワークが接続されている場合も、ネットワークが切断されている場合も、撮像手段のイベントを取得することができ、動画情報に対するインデキシング作業を効率的に行うことができる。
【００２０】
また、請求項６にかかる発明は、複数の画面画像を使用して前記画面画像に対する説明内容を撮像した動画情報と該動画情報に対応する画面画像を対応づける情報編集方法であって、撮像手段の操作により発生したイベントと、ネットワークに接続されたイベント送信装置から送信されるイベントおよび該イベントに対応づけられた画面画像の情報を受信する受信ステップと、前記イベント送信装置とのネットワークの接続状態を検知するネットワーク制御ステップと、前記受信ステップによって受信した前記撮像手段の操作により発生したイベントと、前記イベント送信装置から送信される画面画像の操作に関するイベントおよび該イベントに対応づけられた画面画像の情報を第１のイベント情報として記憶手段に記録し、前記ネットワーク制御手段によって前記イベント送信装置とのネットワークが切断されていると検知された場合、前記撮像手段の操作により発生したイベントのみを前記イベント情報として記録する記録ステップと、を含むことを特徴とする。
【００２１】
この請求項６にかかる発明によれば、撮像手段の操作により発生したイベントと、ネットワークに接続されたイベント送信装置から送信されるイベントおよび該イベントに対応づけられた画面画像の情報を受信し、イベント送信装置とのネットワークの接続状態を検知し、受信した前記撮像手段の操作により発生したイベントと、前記イベント送信装置から送信される画面画像の操作に関するイベントおよび該イベントに対応づけられた画面画像の情報を第１のイベント情報として記憶手段に記録し、イベント送信装置とのネットワークが切断されていると検知された場合、前記撮像手段の操作により発生したイベントのみを前記イベント情報として記録することで、情報編集装置は、ネットワークが接続されている場合も、ネットワークが切断されている場合も、撮像手段のイベントを取得することができ、動画情報に対するインデキシング作業を効率的に行うことができる。
【００２２】
また、請求項７にかかる発明は、請求項６に記載の情報編集方法において、前記ネットワーク制御ステップは、さらに前記イベント送信装置とのネットワークが切断されていると検知された場合、前記イベント送信装置との再接続を行うことを特徴とする。
【００２３】
この請求項７にかかる発明によれば、イベント送信装置とのネットワークが切断されていると検知された場合、イベント送信装置との再接続を行うことで、ネットワーク再接続によってイベント送信装置からのイベント取得を自動的に行うことができ、動画情報に対するインデキシング作業を効率的に行うことができる。
【００２４】
また、請求項８にかかる発明は、請求項７に記載の情報編集方法において、前記受信ステップは、前記イベント送信装置とのネットワークが再接続された場合、ネットワークの切断中に前記イベント送信装置で記録された画面画像の操作に関するイベントおよび該イベントに対応づけられた画面画像の情報を第２のイベント情報を受信するものであり、前記第１のイベント情報と前記第２のイベント情報とを併合する併合ステップをさらに含むことを特徴とする。
【００２５】
この請求項８にかかる発明によれば、イベント送信装置とのネットワークが再接続された場合、ネットワークの切断中に前記イベント送信装置で記録された画面画像の操作に関するイベントおよび該イベントに対応づけられた画面画像の情報を第２のイベント情報を受信し、第１のイベント情報と前記第２のイベント情報とを併合することで、ネットワークが切断された場合でも、完全なイベント情報を自動的に生成することができ、動画情報に対するインデキシング作業を効率的に行うことができる。
【００２６】
また、請求項９にかかる発明は、複数の画面画像に対する経時的な操作に関連して発生するイベントと、該イベントに対応づけられた前記画面画像の情報とを取得して、取得したイベントと前記画面画像の情報をネットワークに接続された情報編集装置に送信する送信ステップと、ネットワークが切断されている場合に、前記イベント情報と前記画面画像の情報をイベント情報として記憶手段に記録する記録ステップと、を含むことを特徴とするイベント送信方法にかかるものである。
【００２７】
この請求項９にかかる発明によれば、複数の画面画像に対する経時的な操作に関連して発生するイベントと、該イベントに対応づけられた前記画面画像の情報とを取得して、取得したイベントと前記画面画像の情報をネットワークに接続された情報編集装置に送信し、ネットワークが切断されている場合に、イベント情報と前記画面画像の情報をイベント情報として前記記憶手段に記録することで、ネットワークが切断された場合でも、イベント情報を記録することができ、動画情報に対するインデキシング作業を効率的に行うことができる。
【００２８】
また、請求項１０にかかる発明は、請求項６〜９のいずれか一つに記載の方法をコンピュータに実行させるプログラムであるので、請求項６〜９のいずれか一つに記載の方法をコンピュータに実行させることができる。
【発明の効果】
【００２９】
請求項１にかかる発明によれば、情報編集装置は、ネットワークが接続されている場合も、ネットワークが切断されている場合も、撮像手段のイベントを取得することができ、動画情報に対するインデキシング作業を効率的に行うことができるという効果を奏する。
【００３０】
また、請求項２にかかる発明によれば、ネットワーク再接続によってイベント送信装置からのイベント取得を自動的に行うことができ、動画情報に対するインデキシング作業を効率的に行うことができるという効果を奏する。
【００３１】
また、請求項３にかかる発明によれば、ネットワークが切断された場合でも、完全なイベント情報を自動的に生成することができ、動画情報に対するインデキシング作業を効率的に行うことができるという効果を奏する。
【００３２】
また、請求項４にかかる発明によれば、ネットワークが切断された場合でも、イベント情報を記録することができ、動画情報に対するインデキシング作業を効率的に行うことができるという効果を奏する。
【００３３】
また、請求項５にかかる発明によれば、情報編集装置は、ネットワークが接続されている場合も、ネットワークが切断されている場合も、撮像手段のイベントを取得することができ、動画情報に対するインデキシング作業を効率的に行うことができるという効果を奏する。
【００３４】
また、請求項６にかかる発明によれば、情報編集装置は、ネットワークが接続されている場合も、ネットワークが切断されている場合も、撮像手段のイベントを取得することができ、動画情報に対するインデキシング作業を効率的に行うことができるという効果を奏する。
【００３５】
また、請求項７にかかる発明によれば、ネットワーク再接続によってイベント送信装置からのイベント取得を自動的に行うことができ、動画情報に対するインデキシング作業を効率的に行うことができるという効果を奏する。
【００３６】
また、請求項８にかかる発明によれば、ネットワークが切断された場合でも、完全なイベント情報を自動的に生成することができ、動画情報に対するインデキシング作業を効率的に行うことができるという効果を奏する。
【００３７】
また、請求項９にかかる発明によれば、ネットワークが切断された場合でも、イベント情報を記録することができ、動画情報に対するインデキシング作業を効率的に行うことができるという効果を奏する。
【００３８】
また、請求項１０にかかる発明によれば、請求項６〜９のいずれか一つに記載の方法をコンピュータに実行させることができるという効果を奏する。
【発明を実施するための最良の形態】
【００３９】
以下に添付図面を参照して、この発明にかかる情報編集装置、イベント送信装置、情報編集システム、情報編集方法、イベント送信方法およびこれらの方法をコンピュータに実行させるプログラムの最良な実施の形態を詳細に説明する。
【００４０】
図１は、この発明の実施の形態にかかる情報編集装置５を含む情報編集システム１の全体構成を示している。
【００４１】
情報編集システム１は、プレゼンテーション資料３１を格納するＰＣ２（プレゼンテーション用ＰＣ）と、このＰＣ２と接続し、プレゼンテーション資料３１を表示するプロジェクター等の投影機３と、投影機３により投影された画像を表示する表示画面３０と、プレゼンテーションの状況を音声と共に動画撮影する音声取り込み機能付きのＤＶカメラ４と、ＤＶカメラ４が取り込んだ音声を含む動画情報（以下単に「動画情報」と称す）を編集する情報編集装置５（キャプチャ用ＰＣ）とを備えている。ここで、ＰＣ２は、本発明におけるイベント送信装置を構成する。
【００４２】
ＤＶカメラ４と情報編集装置５は、例えば、ＩＥＥＥ１３９４などのインターフェイスで接続されている。また、ＰＣ２と情報編集装置５は、ＩＥＥＥ８０２．１１ｂなどの通信インターフェイスで接続されている。
【００４３】
ＰＣ２は、単にプレゼンテーション資料３１を格納しており、投影機３と通信可能であればよく、例えば、プレゼンターの所有するＰＣであってもよい。
【００４４】
本実施の形態では、電子化されたプレゼンテーション資料を用いた講演や発表などを映像で録画記録する場合を例として説明する。このようなプレゼンテーションを行なう場合、通常、発表者は、プロジェクター等の投影機に接続したＰＣ２に電子化されたプレゼンテーション資料を格納し、発表時には、このプレゼンテーション資料を投影機で表示するプレゼンテーション・ソフトを操作しながら発表を進めていく。
【００４５】
編集者は、プレゼンターがプレゼンテーション資料３１を表示画面３０に表示させながらプレゼンテーションを行っている様子を、ＤＶカメラ４を用いて撮影する。ここで、編集者とは、情報編集システム１を利用して動画を編集する者のことである。
【００４６】
撮影が終了すると、情報編集装置５は、ＰＣ２から  プレゼンテーション資料３１を取得し、さらに、ＤＶカメラ４からプレゼンテーションの様子を示す動画情報を取得する。そして、情報編集装置５は、動画情報を編集する。すなわち、動画情報にプレゼンテーション資料３１を対応付けた情報ファイルを生成する。
【００４７】
図２は、ＰＣ２および情報編集装置５のハードウエア構成を示すブロック図である。図２に示すように、ＰＣ２，情報編集装置５は、各種演算を行ない各部を集中的に制御するＣＰＵ１１と、各種のＲＯＭ、ＲＡＭからなるメモリ１２とが、バス１３で接続されている。
【００４８】
バス１３には、所定のインターフェイスを介して、ハードディスクなどの磁気記憶装置１４と、入力装置であるマウス１５と、入力装置であるキーボード２１と、ＬＣＤ等の表示装置１６とを備えている。また、光ディスクなどの記憶媒体１７を読み取る記憶媒体読取装置１８が接続可能であり、インターネットなどのネットワーク１９と通信を行なう所定の通信インターフェイス２０が接続されていてもよい。なお、記憶媒体１７としては、ＣＤ，ＤＶＤなどの光ディスク、光磁気ディスク、フレキシブルディスクなどの各種方式のメディアを用いることができる。また、記憶媒体読取装置１８は、具体的には記憶媒体１７の種類に応じて光ディスク装置、光磁気ディスク装置などが用いられる。
【００４９】
ＰＣ２，情報編集装置５のそれぞれには、その磁気記憶装置１４に、この発明のプログラムを実現する情報編集プログラムが記憶されている。この情報編集プログラムは、記憶媒体１７から記憶媒体読取装置１８により読み取るか、あるいは、インターネットなどのネットワーク１９からダウンロードするなどして、磁気記憶装置１４にインストールしたものである。このインストールによりＰＣ２，５は動作可能な状態となる。すなわち、ＣＰＵ１１が情報編集プログラムに基づいて動作することにより、後述の各種モジュールの機能をそれぞれ実現する。なお、情報編集プログラムは、特定のアプリケーションソフトの一部をなすものであってもよい。また、所定のＯＳ上で動作するものであってもよい。また、ＰＣ２の磁気記憶装置１４には、所定のプレゼンテーション・ソフトも記憶されている。
【００５０】
以下では、情報編集プログラムに基づいて情報編集システム１が行なう処理の内容について説明する。
【００５１】
図３は、情報編集プログラム等に基づいて実現される情報編集システム１の機能ブロック図である。
【００５２】
ＰＣ２は、その磁気記憶装置１４に電子化されたプレゼンテーション資料３１が記憶されていて、ユーザはプレゼンテーション・ソフトによりプレゼンテーション資料３１を用いたプレゼンテーションを行なう。ここで、プレゼンテーション資料３１の各スライドは本発明の画面画像に相当する。
【００５３】
ここで、図４を参照しつつ、プレゼンテーション資料３１について説明する。プレゼンテーション資料３１は、プレゼンテーションの際に表示画面３０に表示すべきスライド３１０，３１２，３１４，３１６，３１８，３２０を含んでいる。各スライド３１０，３１２，３１４，３１６，３１８，３２０には、ページ番号が対応付けられており、ページ番号順に表示される。すなわち、プレゼンテーション資料３１を構成するスライドは、当該プレゼンテーション資料３１の作成者が定めた順番に配列されている。図３に示すプレゼンテーション資料３１は、６ページ分のスライドを含んでいる。これらは、プレゼンターからの指示により、１ページ、２ページ、・・・とページ順に表示される。なお、本実施の形態におけるプレゼンテーション資料３１は、パワーポイントＭｉｃｒｏｓｏｆｔ（Ｒ）社製のＰｏｗｅｒ Ｐｏｉｎｔ（Ｒ）のファイルである。
【００５４】
通常、プレゼンテーションを行なう場合のＰＣ２の操作は以下のような手順である。
【００５５】
１．ＰＣ２の起動
２．プレゼンテーション・ソフトの起動
３．発表の開始
４．キーボード２１又はマウス１５の操作による、プレゼンテーション資料３１のページめくり
５．発表の終了
６．プレゼンテーション・ソフトの終了
７．ＰＣ２の終了
ここで、ページめくりとは、表示画面３０に表示させる、プレゼンテーション資料３１を１ページから次のページすなわち２ページに切り替えることである。
【００５６】
以上の操作は、いずれもマウス１５またはキーボード２１における所定の操作に対応付けられている。例えば、ＰＣ２の表示画面に表示されたプレゼンテーション・ソフトのアイコンをマウス１５によりクリックする操作は、プレゼンテーション・ソフトの起動というイベントに対応付けられている。
【００５７】
ＰＣ２は、情報編集プログラムに基づいてイベント送信装置３２としても機能して、イベント発生装置としてのＰＣ２の操作、すなわち、プレゼンテーションの発表時にＤＶカメラ４で撮影する映像内容に関して発生するイベントを的確に記録することで、ＤＶカメラ４で撮影する映像に対するインデキシングを効率良く行なうことを支援する。
【００５８】
前述のような手順でプレゼンテーションの発表が行われる際に、ＰＣ２上で捉えることができる映像内容に関して発生するイベントとしては、例えば以下の１〜３に示すようなものがある。すなわち、ここでは、ＤＶカメラ４の映像内容の被写体の少なくとも一部をなすプレゼンテーション映像の画面の切換えを行なう、利用者によるコンピュータ操作をイベントとしている。また、このイベントに関する情報であるイベント情報として、イベントの種類とそのときのカウンタ値も正確に記録する必要がある。
【００５９】
１．プレゼンテーション・ソフトの起動、終了
２．キーボード２１の操作（どのキーが押されたか）
３．マウス１５の操作（ドラッグ、クリック）
そこで、ＰＣ２は、イベントキャプチャ部３３により、これらのイベントの種類とそのカウンタ値と切り替えた画面画像（スライド）のファイル名を取得する。そして、イベント記録部３４は、イベントの種類とそのカウンタ値と切り替えた画面画像（スライド）のファイル名のログを記録し、イベント送信部４４は通信インターフェイスを介して情報編集装置５に送信する。
【００６０】
情報編集装置５のイベント受信部３６は、ＰＣ２から送信されたイベントの種類とそのカウンタ値と切り替えた画面画像（スライド）のファイル名を受信するものである。ここで、イベント受信部３６は、ＰＣ２から送信された画面画像の切り替え操作に関するイベントの他、ＤＶカメラ４からのイベントも受信するようになっている。
【００６１】
イベント制御部３７は、イベント記録部３８と撮影機器制御部３９に、受信したイベントを受け渡すものである。イベント記録部３８は、第２のイベント記録手段を構成し、受け渡されたイベントを時系列に記録してイベントファイル５０を生成するものである。
【００６２】
撮影機器制御部３９は、イベントファイルの内容情報に基づいてＤＶカメラ４を制御する。映像キャプチャ部４０は、ＤＶカメラ４で撮影した画像をキャプチャする。動画情報管理部４１は、ＤＶカメラ４で撮影した画像の動画情報を記憶して管理する。また、イベント記録部３８はＤＶカメラ４の制御のイベント情報をイベントファイルに記録する。
【００６３】
イベント解釈部４２は、イベント情報の内容を読み込んでイベントの解釈を行うものである。情報ファイル生成部４５は、イベント解釈部４２によって解釈されたイベント情報の内容を参照し、プレゼンテーション資料３１及び動画情報、および表示制御部４８で表示された編集画面から入力制御部４７によって入力された内容に基づいて、動画情報と画面画像とを対応付けた情報ファイルを生成するものである。
【００６４】
ネットワーク制御部５１は、通信インタフェースに対してポーリングを行うことにより、ＰＣ２とのネットワーク接続が切断されているか否かを検知するものである。また、ネットワーク制御部５１は、ＰＣ２とのネットワーク接続が切断されていると検知した場合、前回の接続情報（接続先ＩＰアドレス等）を利用してＰＣ２に再接続を行う。
【００６５】
併合部４３は、ＰＣ２とのネットワークが切断された場合であって、再接続が成功した場合、情報編集装置５内で記録されたイベントファイル５０と、イベント受信部３６によって受信した切断中におけるＰＣ２側で記録されたイベントファイル５１の併合を行うものである。ここで、イベントファイル５０は本発明における第１のイベント情報を構成し、イベントファイル５１は本発明における第２のイベント情報を構成する。
【００６６】
表示制御部４８は、動画情報と画面画像との対応付け作業を行う編集画面をディスプレイ装置等の表示装置１６に表示するものである。入力制御部４７は、編集画面からの利用者の入力を受け付けるものである。
【００６７】
次に、ＰＣ（イベント送信装置）２と情報編集装置５との間のイベント情報の交換について具体的に説明する。
【００６８】
１．プレゼンテーション・ソフトの起動というイベントが発生したときは、撮影機器制御部３９により、ＤＶカメラ４による撮影を開始する。また、このイベント情報をイベント記録部３８で記録する。
【００６９】
２．プレゼンテーション資料３１のスライド（画面画像）が進行しているときは、キーボード２１のキー操作によるイベントが発生するので、このイベント情報をイベント記録部３８で記録する。
【００７０】
３．プレゼンテーション・ソフトが終了したときは、撮影機器制御部３９により、ＤＶカメラ４による撮影を終了する。また、このイベント情報をイベント記録モジュール３８で記録する。
【００７１】
このようにして、ＤＶカメラ４で撮影された映像中のイベントのイベント情報を映像情報とともに情報編集装置５で記録管理することができる。
【００７２】
次に、本実施の形態の情報編集システムによるイベントの送受信について説明する。図５は、ＰＣ２によるイベントの送信処理の手順を示すフローチャートである。
【００７３】
ＰＣ２では、イベントキャプチャ部３３によって画面画像の切り替え操作などに伴うイベントを取得する（ステップＳ５０１）。そして、イベント送信部４４によって取得したイベント、カウンタ値、画面画像のファイル名を情報編集装置５に送信する（ステップＳ５０２）。そして、イベント送信部４４によって送信が成功したか否かを判断する（ステップＳ５０３）。送信が失敗した場合には、ネットワークが切断されたものと判断し、イベント記録部３４によってステップＳ５０１で取得したイベント、カウンタ値および画面画像ファイル名をイベントファイル５１に記録する。以上の処理を、すべての発生するイベントについて繰り返し行う（ステップＳ５０５）。
【００７４】
図６は、切断されたネットワークが再接続された場合におけるＰＣ２によりイベントファイル５１の送信処理の手順を示すフローチャートである。
【００７５】
ネットワークが再接続された場合、情報編集装置５からのイベントファイル５１の送信要求の待ち状態となる（ステップＳ６０１）。イベントファイル５１の送信要求を受信した場合には、イベント送信部４４によってＨＤＤ３５に保存されているイベントファイル５１を情報編集装置５に送信する（ステップＳ６０２）。これによって、ネットワーク切断中に画面画像の切り替え操作等で生じたイベントが情報編集装置５に送信されることになる。図１０は、ＰＣ２側でネットワーク切断中に記録されたイベントファイル５１の内容の一例を示す説明図である。
【００７６】
次に、情報編集装置５におけるイベントの受信処理について説明する。図７は、情報編集装置５におけるイベントの受信処理の手順を示すフローチャートである。
【００７７】
情報編集装置５では、イベント受信部３６により、ＰＣ２から送信されてきたイベント、カウンタ値および画面画像ファイル名を受信する（ステップＳ７０１）。そしてこれらのイベント等をイベント記録部３８によってイベントファイル５０に記録する（ステップＳ７０２）。
【００７８】
次に、情報編集装置５とＰＣ２とのネットワークが切断された場合の情報編集装置５における処理について説明する。ネットワーク制御部５１は、一定時間ごとにＰＣ２とのネットワークが接続されているか否かを検知し、切断されていると判断した場合には、以下の処理を行う。
【００７９】
図８は、ネットワークが再接続された場合における情報編集装置５によるイベントファイル５１の受信処理の手順を示すフローチャートである。まず、ネットワーク制御部５１は、ＰＣ２とのネットワークの再接続を試みる（ステップＳ８０１）。ここで、接続先のＰＣ２のアドレス情報は前回の接続持の情報を保持しておき、保持しておいたアドレス情報を使用する。
【００８０】
次に、ネットワーク制御部５１は、再接続によりネットワークが復旧したか否かを調べる（ステップＳ８０２）。そして、ネットワークが復旧していると判断した場合には、ＰＣ２に対しイベントファイル５１の送信要求を送信する（ステップＳ８０３）。
【００８１】
これによって、イベント受信部３６はＰＣ２からイベントファイル５１の受信待ち状態となる（ステップＳ８０４）。そして、イベント受信部３６はＰＣ２からイベントファイル５１を受信したら、受信したイベントファイル５１と情報編集装置５のＨＤＤ４９に保存されているイベントファイルを併合する（ステップＳ８０５）。
【００８２】
図９は、ネットワークが切断された場合の情報編集装置５で記録されたイベントファイルの内容の一例を示す説明図である。図９に示すように、ページ２への切り替えを行った後でネットワークが切断されており、ページ１１の切り替えの前にネットワーク接続が復旧していることがわかる。一方、図１０に示すように、ネットワーク切断中のページ切り替えのイベント（ページ３の切り替えからページ１０の切り替え）は、ＰＣ２側のイベントファイル５１に記録されている。
【００８３】
ステップ８０５のイベントファイルの併合処理では、図９のようなイベントファイル５０と、図１０のようなイベントファイル５１とを、カウンタ値が時系列になるように併合する。図１１は、併合されたイベントファイルの内容の一例を示す説明図ある。図１１に示すように、図９と図１０のイベントファイルは併合されてネットワークの切断がなかったときと同じ内容のファイルとなることがわかる。
【００８４】
このように本実施の形態では、情報編集装置５とＰＣ２とのネットワークが切断されていると検知された場合、情報編集装置５側ではＤＶカメラ４の操作により発生したイベントのみをイベントファイルに記録し、ＰＣ２側では画面画像（スライド）の切り替え操作等のイベントを記録しているので、ネットワークが接続されている場合も、ネットワークが切断されている場合も、撮像手段のイベントを取得することができ、動画情報に対するインデキシング作業を効率的に行うことができる。
【００８５】
また、本実施の形態では、ＰＣ２と情報編集装置５とのネットワークが再接続された場合、ネットワークの切断中にＰＣ２で記録されたイベントファイル５１を情報編集装置５で受信し、情報編集装置５側で記録されたイベントファイル５０とイベントファイル５１とをしているので、ネットワークが切断された場合でも、完全なイベント情報を自動的に生成することができ、動画情報に対するインデキシング作業を効率的に行うことができる。
【産業上の利用可能性】
【００８６】
本発明は、プレゼンテーションなどをＤＶカメラで撮影して動画情報とするとともに、プレゼンテーション資料を画面画像情報にして両者を対応付けて編集する情報編集装置、情報編集方法、イベント送信装置、イベント送信方法、情報編集システム、情報編集プログラムに適している。
【図面の簡単な説明】
【００８７】
【図１】情報編集システム１の全体構成を示す図である。
【図２】情報編集装置５およびＰＣ２のハードウェア構成を示すブロック図である。
【図３】情報編集装置５とＰＣ２の機能構成を示すブロック図である。
【図４】プレゼンテーション資料３１を模式的に示す説明図である。
【図５】ＰＣ２によるイベントの送信処理の手順を示すフローチャートである。
【図６】切断されたネットワークが再接続された場合におけるＰＣ２によりイベントファイル５１の送信処理の手順を示すフローチャートである。
【図７】情報編集装置５におけるイベントの受信処理の手順を示すフローチャートである。
【図８】ネットワークが再接続された場合における情報編集装置５によるイベントファイル５１の受信処理の手順を示すフローチャートである。
【図９】ネットワークが切断された場合の情報編集装置５で記録されたイベントファイルの内容の一例を示す説明図である。
【図１０】ＰＣ２側でネットワーク切断中に記録されたイベントファイル５１の内容の一例を示す説明図である。
【図１１】併合されたイベントファイルの内容の一例を示す説明図である。
【符号の説明】
【００８８】
１  情報編集システム
２  ＰＣ（プレゼンテーション装置）
３  投影機
４  ＤＶカメラ
５  情報編集装置（キャプチャＰＣ）
１５  マウス
２１  キーボード
３１  プレゼンテーション資料
３３  イベントキャプチャ部
３４  イベント記録部
３６  イベント受信部
３７  イベント制御部
３８  イベント記録部
３９  撮影機器制御部
４０  映像キャプチャ部
４１  動画情報管理部
４２  イベント解釈部
４３  併合部
４４  イベント送信部
４５  情報ファイル生成部
４６  イベント編集部
４７  入力制御部
４８  表示制御部
５１  ネットワーク制御部
１１  ＣＰＵ
１２  メモリ
１３  バス
１４  ＨＤＤ
１５  マウス
１６  表示装置
１７  記憶媒体
１８  記憶媒体読取装置
１９  ネットワーク
２０  通信Ｉ／Ｆ
３１０，３１２，３１４，３１６，３１８，３２０  画面画像
【図１】
2005094267.tif 000003
【図２】
2005094267.tif 000004
【図３】
2005094267.tif 000005
【図４】
2005094267.tif 000006
【図５】
2005094267.tif 000007
【図６】
2005094267.tif 000008
【図７】
2005094267.tif 000009
【図８】
2005094267.tif 000010
【図９】
2005094267.tif 000011
【図１０】
2005094267.tif 000012
【図１１】
2005094267.tif 000013